【手続補正書】
【提出日】令和2年10月16日(2020.10.16)
【手続補正１】
【補正対象書類名】特許請求の範囲
【補正対象項目名】全文
【補正方法】変更
【補正の内容】
【特許請求の範囲】
【請求項１】
遠心式送風機であって、
ファン軸心（ＣＬ）の周りに配置された複数のブレード（１２１）を有し、前記ファン軸心の軸方向の一方側から吸入した空気を径方向の外側に向けて吹き出す遠心ファン（１２）と、
前記複数のブレードに対して前記遠心ファンの径方向の内側に配置され、前記軸方向の両側に開口部を有するとともに、前記軸方向の前記一方側から前記軸方向の他方側の端に向かうにつれて前記径方向に拡大する筒状であり、前記遠心ファンに向かう空気流れを２つの空気流れに分離する分離筒（１８）とを備え、
前記遠心ファンは、前記複数のブレードのそれぞれと交差して設けられており、前記径方向の内側から外側へ延伸する板状であり、前記分離筒で分離された２つの空気流れを、前記軸方向の前記一方側を流れる空気と、前記軸方向の前記他方側を流れる空気とに分離した状態で、前記遠心ファンから吹き出させる分離板（１３）を有し、
前記分離板は、前記径方向の内側の端の位置で、前記軸方向の前記一方側から前記他方側へ延伸する内側端面（１３１）を有し、
前記分離筒は、前記軸方向の前記他方側の端の位置で、前記軸方向の前記一方側から前記他方側へ延伸する分離筒端面（１８１）を有し、
前記分離筒端面の前記軸方向での高さ（Ｈ３）は、前記内側端面の前記軸方向での高さ（Ｈ１）よりも高い、遠心式送風機。
【請求項２】
前記分離筒は、
前記軸方向の前記一方側から前記他方側の端へ向かって延伸するとともに、前記軸方向の前記他方側の端に向かうにつれて前記径方向の外側に位置するように延伸する分離筒本体部（１８２）と、
前記分離筒本体部のうち前記径方向の外側の部分であって、前記分離筒の前記径方向の外側の端を含む外側部分（１８２ａ）から前記軸方向の前記一方側と前記他方側との少なくとも一方へ突出する分離筒突出部（１８３、１８４）とを有し、
前記分離筒端面は、前記分離筒本体部の前記径方向の外側の端面（１８１ｃ）と、前記分離筒突出部の前記径方向の外側の端面（１８１ｄ、１８１ｅ）とによって構成される、請求項１に記載の遠心式送風機。
【請求項３】
前記分離筒突出部の前記端面の法線方向での前記分離筒突出部の厚み（Ｔ２２、Ｔ２３）は、前記分離筒本体部の表面の法線方向での前記分離筒本体部の厚み（Ｔ２１）以下である、請求項２に記載の遠心式送風機。
【請求項４】
遠心式送風機であって、
ファン軸心（ＣＬ）の周りに配置された複数のブレード（１２１）を有し、前記ファン軸心の軸方向の一方側から吸入した空気を径方向の外側に向けて吹き出す遠心ファン（１２）と、
前記複数のブレードに対して前記遠心ファンの径方向の内側に配置され、前記軸方向の両側に開口部を有するとともに、前記軸方向の前記一方側から前記軸方向の他方側の端に向かうにつれて前記径方向に拡大する筒状であり、前記遠心ファンに向かう空気流れを２つの空気流れに分離する分離筒（１８）とを備え、
前記遠心ファンは、前記複数のブレードのそれぞれと交差して設けられており、前記径方向の内側から外側へ延伸する板状であり、前記分離筒で分離された２つの空気流れを、前記軸方向の前記一方側を流れる空気と、前記軸方向の前記他方側を流れる空気とに分離した状態で、前記遠心ファンから吹き出させる分離板（１３）を有し、
前記分離板は、前記径方向の内側の端の位置で、前記軸方向の前記一方側から前記他方側へ延伸する内側端面（１３１）を有し、
前記分離筒は、前記軸方向の前記他方側の端の位置で、前記軸方向の前記一方側から前記他方側へ延伸する分離筒端面（１８１）を有し、
前記内側端面の前記軸方向での高さ（Ｈ１）は、前記分離筒端面の前記軸方向での高さ（Ｈ３）よりも高く、
前記分離板は、
前記径方向の内側から外側へ延伸する分離板本体部（１３３）と、
前記分離板本体部のうち前記径方向の内側の部分であって、前記分離板の前記径方向の内側の端を含む内側部分（１３３ａ）から前記軸方向の前記一方側と前記他方側の少なくとも一方へ突出する内側突出部（１３４、１３５）とを有し、
前記内側端面は、前記分離板本体部の前記径方向の内側の端面（１３１ｃ）と、前記内側突出部の前記径方向の内側の端面（１３１ｄ、１３１ｅ）とによって構成される、遠心式送風機。
【請求項５】
前記内側突出部の前記端面の法線方向での前記内側突出部の厚み（Ｔ１２、Ｔ１３）は、前記分離板本体部の表面の法線方向での前記分離板本体部の厚み（Ｔ１１）以下である、請求項４に記載の遠心式送風機。
【請求項６】
遠心式送風機であって、
ファン軸心（ＣＬ）の周りに配置された複数のブレード（１２１）を有し、前記ファン軸心の軸方向の一方側から吸入した空気を径方向の外側に向けて吹き出す遠心ファン（１２）と、
前記軸方向の前記一方側に空気を吸入する吸入口（１４ａ）を有し、前記遠心ファンを収容するとともに、前記遠心ファンから吹き出された空気が流れる空気通路（１４２ａ）を形成するファンケーシング（１４）とを備え、
前記遠心ファンは、前記複数のブレードのそれぞれと交差して設けられており、前記径方向の内側から外側へ延伸する板状であり、前記複数のブレードにおける隣り合うブレードの間を流れる空気を、前記軸方向の前記一方側を流れる空気と、前記軸方向の他方側を流れる空気とに分離する分離板（１３）を有し、
前記ファンケーシングは、前記空気通路に設けられており、前記径方向の外側から内側へ延伸する板状であり、前記分離板で分離された２つの空気流れの混合を抑制するために、前記軸方向の前記一方側の空気通路（１４２ｂ）と、前記軸方向の前記他方側の空気通路（１４２ｃ）とに、前記空気通路を仕切る仕切板（１５）を有し、
前記分離板は、前記径方向の外側の端の位置で、前記軸方向の前記一方側から前記他方側へ延伸する外側端面（１３２）を有し、
前記仕切板は、前記径方向の内側の端の位置で、前記軸方向の前記一方側から前記他方側へ延伸する仕切板端面（１５１）を有し、
前記外側端面の前記軸方向での高さ（Ｈ２）は、前記仕切板端面の前記軸方向での高さ（Ｈ４）よりも高く、
前記分離板は、
前記径方向の内側から外側へ延伸する分離板本体部（１３３）と、
前記分離板本体部のうち前記径方向の外側の部分であって、前記分離板の前記径方向の外側の端を含む外側部分（１３３ｂ）から前記軸方向の前記一方側と前記他方側の少なくとも一方へ突出する外側突出部（１３６、１３７）とを有し、
前記外側端面は、前記分離板本体部の前記径方向の外側の端面（１３２ｃ）と、前記外側突出部の前記径方向の外側の端面（１３２ｄ、１３２ｅ）とによって構成される、遠心式送風機。
【請求項７】
前記外側突出部の前記端面の法線方向での前記外側突出部の厚み（Ｔ１４、Ｔ１５）は、前記分離板本体部の表面の法線方向での前記分離板本体部の厚み（Ｔ１１）以下である、請求項６に記載の遠心式送風機。
【請求項８】
遠心式送風機であって、
ファン軸心（ＣＬ）の周りに配置された複数のブレード（１２１）を有し、前記ファン軸心の軸方向の一方側から吸入した空気を径方向の外側に向けて吹き出す遠心ファン（１２）と、
前記軸方向の前記一方側に空気を吸入する吸入口（１４ａ）を有し、前記遠心ファンを収容するとともに、前記遠心ファンから吹き出された空気が流れる空気通路（１４２ａ）を形成するファンケーシング（１４）とを備え、
前記遠心ファンは、前記複数のブレードのそれぞれと交差して設けられており、前記径方向の内側から外側へ延伸する板状であり、前記複数のブレードにおける隣り合うブレードの間を流れる空気を、前記軸方向の前記一方側を流れる空気と、前記軸方向の他方側を流れる空気とに分離する分離板（１３）を有し、
前記ファンケーシングは、前記空気通路に設けられており、前記径方向の外側から内側へ延伸する板状であり、前記分離板で分離された２つの空気流れの混合を抑制するために、前記軸方向の前記一方側の空気通路（１４２ｂ）と、前記軸方向の前記他方側の空気通路（１４２ｃ）とに、前記空気通路を仕切る仕切板（１５）を有し、
前記分離板は、前記径方向の外側の端の位置で、前記軸方向の前記一方側から前記他方側へ延伸する外側端面（１３２）を有し、
前記仕切板は、前記径方向の内側の端の位置で、前記軸方向の前記一方側から前記他方側へ延伸する仕切板端面（１５１）を有し、
前記仕切板端面の前記軸方向での高さ（Ｈ４）は、前記外側端面の前記軸方向での高さ（Ｈ２）よりも高い、遠心式送風機。
【請求項９】
前記仕切板は、
前記径方向の外側から内側へ延伸する仕切板本体部（１５２）と、
前記仕切板本体部のうち前記径方向の内側の部分であって、前記仕切板の前記径方向の内側の端を含む内側部分（１５２ａ）から前記軸方向の前記一方側と前記他方側の少なくとも一方へ突出する仕切板突出部（１５３、１５４）とを有し、
前記仕切板端面は、前記仕切板本体部の前記径方向の内側の端面（１５１ｃ）と、前記仕切板突出部の前記径方向の内側の端面（１５１ｄ、１５１ｅ）とによって構成される、請求項８に記載の遠心式送風機。
【請求項１０】
前記仕切板突出部の前記端面の法線方向での前記仕切板突出部の厚み（Ｔ３２、Ｔ３３）は、前記仕切板本体部の表面の法線方向での前記仕切板本体部の厚み（Ｔ３１）以下である、請求項９に記載の遠心式送風機。
【請求項１１】
遠心式送風機であって、
ファン軸心（ＣＬ）の周りに配置された複数のブレード（１２１）を有し、前記ファン軸心の軸方向の一方側から吸入した空気を径方向の外側に向けて吹き出す遠心ファン（１２）と、
前記複数のブレードに対して前記遠心ファンの径方向の内側に配置され、前記軸方向の両側に開口部を有するとともに、前記軸方向の前記一方側から前記軸方向の他方側の端に向かうにつれて前記径方向に拡大する筒状であり、前記遠心ファンに向かう空気流れを２つの空気流れに分離する分離筒（１８）と、
前記軸方向の前記一方側に空気を吸入する吸入口（１４ａ）を有し、前記遠心ファンを収容するとともに、前記遠心ファンから吹き出された空気が流れる空気通路（１４２ａ）を形成するファンケーシング（１４）とを備え、
前記遠心ファンは、前記複数のブレードのそれぞれと交差して設けられており、前記径方向の内側から外側へ延伸する板状であり、前記分離筒で分離された２つの空気流れを、前記軸方向の前記一方側を流れる空気と、前記軸方向の前記他方側を流れる空気とに分離した状態で、前記遠心ファンから吹き出させる分離板（１３）を有し、
前記ファンケーシングは、前記空気通路に設けられており、前記径方向の外側から内側へ延伸する板状であり、前記分離筒および前記分離板で分離された２つの空気流れの混合を抑制するために、前記軸方向の前記一方側の空気通路（１４２ｂ）と、前記軸方向の前記他方側の空気通路（１４２ｃ）とに、前記空気通路を仕切る仕切板（１５）を有し、
前記分離板は、前記径方向の内側の端の位置で、前記軸方向の前記一方側から前記他方側へ延伸する内側端面（１３１）と、前記径方向の外側の端の位置で、前記軸方向の前記一方側から前記他方側へ延伸する外側端面（１３２）とを有し、
前記分離筒は、前記軸方向の前記他方側の端の位置で、前記軸方向の前記一方側から前記他方側へ延伸する分離筒端面（１８１）を有し、
前記仕切板は、前記径方向の内側の端の位置で、前記軸方向の前記一方側から前記他方側へ延伸する仕切板端面（１５１）を有し、
前記内側端面の前記軸方向での高さ（Ｈ１）は、前記分離筒端面の前記軸方向での高さ（Ｈ３）よりも高く、
前記外側端面の前記軸方向での高さ（Ｈ２）は、前記仕切板端面の前記軸方向での高さ（Ｈ４）よりも高く、
前記分離板は、
前記径方向の内側から外側へ延伸する分離板本体部（１３３）と、
前記分離板本体部のうち前記径方向の内側の部分であって、前記分離板の前記径方向の内側の端を含む内側部分（１３３ａ）から前記軸方向の前記一方側と前記他方側の少なくとも一方へ突出する内側突出部（１３４、１３５）と、
前記分離板本体部のうち前記径方向の外側の部分であって、前記分離板の前記径方向の外側の端を含む外側部分（１３３ｂ）から前記軸方向の前記一方側と前記他方側の少なくとも一方へ突出する外側突出部（１３６、１３７）とを有し、
前記内側端面は、前記分離板本体部の前記径方向の内側の端面（１３１ｃ）と、前記内側突出部の前記径方向の内側の端面（１３１ｄ、１３１ｅ）とによって構成され、
前記外側端面は、前記分離板本体部の前記径方向の外側の端面（１３２ｃ）と、前記外側突出部の前記径方向の外側の端面（１３２ｄ、１３２ｅ）とによって構成される、遠心式送風機。
【請求項１２】
前記内側突出部の前記端面の法線方向での前記内側突出部の厚み（Ｔ１２、Ｔ１３）は、前記分離板本体部の表面の法線方向での前記分離板本体部の厚み（Ｔ１１）以下であり、
前記外側突出部の前記端面の法線方向での前記外側突出部の厚み（Ｔ１４、Ｔ１５）は、前記分離板本体部の前記厚み以下である、請求項１１に記載の遠心式送風機。
【請求項１３】
遠心式送風機であって、
ファン軸心（ＣＬ）の周りに配置された複数のブレード（１２１）を有し、前記ファン軸心の軸方向の一方側から吸入した空気を径方向の外側に向けて吹き出す遠心ファン（１２）と、
前記複数のブレードに対して前記遠心ファンの径方向の内側に配置され、前記軸方向の両側に開口部を有するとともに、前記軸方向の前記一方側から前記軸方向の他方側の端に向かうにつれて前記径方向に拡大する筒状であり、前記遠心ファンに向かう空気流れを２つの空気流れに分離する分離筒（１８）と、
前記軸方向の前記一方側に空気を吸入する吸入口（１４ａ）を有し、前記遠心ファンを収容するとともに、前記遠心ファンから吹き出された空気が流れる空気通路（１４２ａ）を形成するファンケーシング（１４）とを備え、
前記遠心ファンは、前記複数のブレードのそれぞれと交差して設けられており、前記径方向の内側から外側へ延伸する板状であり、前記分離筒で分離された２つの空気流れを、前記軸方向の前記一方側を流れる空気と、前記軸方向の前記他方側を流れる空気とに分離した状態で、前記遠心ファンから吹き出させる分離板（１３）を有し、
前記ファンケーシングは、前記空気通路に設けられており、前記径方向の外側から内側へ延伸する板状であり、前記分離筒および前記分離板で分離された２つの空気流れの混合を抑制するために、前記軸方向の前記一方側の空気通路（１４２ｂ）と、前記軸方向の前記他方側の空気通路（１４２ｃ）とに、前記空気通路を仕切る仕切板（１５）を有し、
前記分離板は、前記径方向の内側の端の位置で、前記軸方向の前記一方側から前記他方側へ延伸する内側端面（１３１）と、前記径方向の外側の端の位置で、前記軸方向の前記一方側から前記他方側へ延伸する外側端面（１３２）とを有し、
前記分離筒は、前記軸方向の前記他方側の端の位置で、前記軸方向の前記一方側から前記他方側へ延伸する分離筒端面（１８１）を有し、
前記仕切板は、前記径方向の内側の端の位置で、前記軸方向の前記一方側から前記他方側へ延伸する仕切板端面（１５１）を有し、
前記分離筒端面の前記軸方向での高さ（Ｈ３）は、前記内側端面の前記軸方向での高さ（Ｈ１）よりも高く、
前記仕切板端面の前記軸方向での高さ（Ｈ４）は、前記外側端面の前記軸方向での高さ（Ｈ２）よりも高い、遠心式送風機。
【請求項１４】
遠心式送風機であって、
ファン軸心（ＣＬ）の周りに配置された複数のブレード（１２１）を有し、前記ファン軸心の軸方向の一方側から吸入した空気を径方向の外側に向けて吹き出す遠心ファン（１２）と、
前記複数のブレードに対して前記遠心ファンの径方向の内側に配置され、前記軸方向の両側に開口部を有するとともに、前記軸方向の前記一方側から前記軸方向の他方側の端に向かうにつれて前記径方向に拡大する筒状であり、前記遠心ファンに向かう空気流れを２つの空気流れに分離する分離筒（１８）とを備え、
前記遠心ファンは、前記複数のブレードのそれぞれと交差して設けられており、前記径方向の内側から外側へ延伸する板状であり、前記分離筒で分離された２つの空気流れを、前記軸方向の前記一方側を流れる空気と、前記軸方向の前記他方側を流れる空気とに分離した状態で、前記遠心ファンから吹き出させる分離板（１３）を有し、
前記分離板は、前記径方向の内側の端の位置で、前記軸方向の前記一方側から前記他方側へ延伸する内側端面（１３１）と、前記径方向の中央に位置する分離板中央部（１３３ｃ）とを有し、
前記分離筒は、前記軸方向の前記他方側の端の位置で、前記軸方向の前記一方側から前記他方側へ延伸する分離筒端面（１８１）と、前記軸方向での中央に位置する分離筒中央部（１８２ｂ）とを有し、
前記内側端面の前記軸方向での高さ（Ｈ１）は、前記分離板中央部の表面の法線方向での前記分離板中央部の厚み（Ｔ５１）よりも大きく、
前記分離筒端面の前記軸方向での高さ（Ｈ３）は、前記分離筒中央部の表面の法線方向での前記分離筒中央部の厚み（Ｔ５２）よりも大きい、遠心式送風機。
【請求項１５】
遠心式送風機であって、
ファン軸心（ＣＬ）の周りに配置された複数のブレード（１２１）を有し、前記ファン軸心の軸方向の一方側から吸入した空気を径方向の外側に向けて吹き出す遠心ファン（１２）と、
前記軸方向の前記一方側に空気を吸入する吸入口（１４ａ）を有し、前記遠心ファンを収容するとともに、前記遠心ファンから吹き出された空気が流れる空気通路（１４２ａ）を形成するファンケーシング（１４）とを備え、
前記遠心ファンは、前記複数のブレードのそれぞれと交差して設けられており、前記径方向の内側から外側へ延伸する板状であり、前記複数のブレードにおける隣り合うブレードの間を流れる空気を、前記軸方向の前記一方側を流れる空気と、前記軸方向の他方側を流れる空気とに分離する分離板（１３）を有し、
前記分離板は、前記径方向の外側の端の位置で、前記軸方向の前記一方側から前記他方側へ延伸する外側端面（１３２）と、前記径方向の中央に位置する分離板中央部（１３３ｃ）とを有し、
前記ファンケーシングは、前記空気通路に設けられており、前記径方向の外側から内側へ延伸する板状であり、前記分離板で分離された２つの空気流れの混合を抑制するために、前記軸方向の前記一方側の空気通路（１４２ｂ）と、前記軸方向の前記他方側の空気通路（１４２ｃ）とに、前記空気通路を仕切る仕切板（１５）を有し、
前記仕切板は、前記径方向の内側の端の位置で、前記軸方向の前記一方側から前記他方側へ延伸する仕切板端面（１５１）と、前記径方向での中央に位置する仕切板中央部（１５２ｂ）とを有し、
前記外側端面の前記軸方向での高さ（Ｈ２）は、前記分離板中央部の表面の法線方向での前記分離板中央部の厚み（Ｔ５１）よりも大きく、
前記仕切板端面の前記軸方向での高さ（Ｈ４）は、前記仕切板中央部の表面の法線方向での前記仕切板中央部の厚み（Ｔ５３）よりも大きい、遠心式送風機。
【請求項１６】
遠心式送風機であって、
ファン軸心（ＣＬ）の周りに配置された複数のブレード（１２１）を有し、前記ファン軸心の軸方向の一方側から吸入した空気を径方向の外側に向けて吹き出す遠心ファン（１２）と、
前記複数のブレードに対して前記遠心ファンの径方向の内側に配置され、前記軸方向の両側に開口部を有するとともに、前記軸方向の前記一方側から前記軸方向の他方側の端に向かうにつれて前記径方向に拡大する筒状であり、前記遠心ファンに向かう空気流れを２つの空気流れに分離する分離筒（１８）とを備え、
前記遠心ファンは、前記複数のブレードのそれぞれと交差して設けられており、前記径方向の内側から外側へ延伸する板状であり、前記分離筒で分離された２つの空気流れを、前記軸方向の前記一方側を流れる空気と、前記軸方向の前記他方側を流れる空気とに分離した状態で、前記遠心ファンから吹き出させる分離板（１３）を有し、
前記分離筒は、前記軸方向の前記他方側の開口部の周りに位置し、前記分離筒の前記径方向の外側の端を含む分離筒縁部（３００）を有し、
前記分離板は、前記分離板の前記径方向の内側の端を含む内側縁部（１００）を有し、
前記分離筒縁部の前記軸方向での高さ（Ｈ３）は、前記内側縁部の前記軸方向での高さ（Ｈ１）よりも高い、遠心式送風機。
【請求項１７】
遠心式送風機であって、
ファン軸心（ＣＬ）の周りに配置された複数のブレード（１２１）を有し、前記ファン軸心の軸方向の一方側から吸入した空気を径方向の外側に向けて吹き出す遠心ファン（１２）と、
前記軸方向の前記一方側に空気を吸入する吸入口（１４ａ）を有し、前記遠心ファンを収容するとともに、前記遠心ファンから吹き出された空気が流れる空気通路（１４２ａ）を形成するファンケーシング（１４）とを備え、
前記遠心ファンは、前記複数のブレードのそれぞれと交差して設けられており、前記径方向の内側から外側へ延伸する板状であり、前記複数のブレードにおける隣り合うブレードの間を流れる空気を、前記軸方向の前記一方側を流れる空気と、前記軸方向の他方側を流れる空気とに分離する分離板（１３）を有し、
前記ファンケーシングは、前記空気通路に設けられており、前記径方向の外側から内側へ延伸する板状であり、前記分離板で分離された２つの空気流れの混合を抑制するために、前記軸方向の前記一方側の空気通路（１４２ｂ）と、前記軸方向の前記他方側の空気通路（１４２ｃ）とに、前記空気通路を仕切る仕切板（１５）を有し、
前記分離板は、前記分離板の前記径方向の外側の端を含む外側縁部（２００）を有し、
前記仕切板は、前記仕切板の前記径方向の内側の端を含む仕切板縁部（４００）を有し、
前記仕切板縁部の前記軸方向での高さ（Ｈ４）は、前記外側縁部の前記軸方向での高さ（Ｈ２）よりも高い、遠心式送風機。
【請求項１８】
遠心式送風機であって、
ファン軸心（ＣＬ）の周りに配置された複数のブレード（１２１）を有し、前記ファン軸心の軸方向の一方側から吸入した空気を径方向の外側に向けて吹き出す遠心ファン（１２）と、
前記複数のブレードに対して前記遠心ファンの径方向の内側に配置され、前記軸方向の両側に開口部を有するとともに、前記軸方向の前記一方側から前記軸方向の他方側の端に向かうにつれて前記径方向に拡大する筒状であり、前記遠心ファンに向かう空気流れを２つの空気流れに分離する分離筒（１８）と、
前記軸方向の前記一方側に空気を吸入する吸入口（１４ａ）を有し、前記遠心ファンを収容するとともに、前記遠心ファンから吹き出された空気が流れる空気通路（１４２ａ）を形成するファンケーシング（１４）とを備え、
前記遠心ファンは、前記複数のブレードのそれぞれと交差して設けられており、前記径方向の内側から外側へ延伸する板状であり、前記分離筒で分離された２つの空気流れを、前記軸方向の前記一方側を流れる空気と、前記軸方向の前記他方側を流れる空気とに分離した状態で、前記遠心ファンから吹き出させる分離板（１３）を有し、
前記ファンケーシングは、前記空気通路に設けられており、前記径方向の外側から内側へ延伸する板状であり、前記分離筒および前記分離板で分離された２つの空気流れの混合を抑制するために、前記軸方向の前記一方側の空気通路（１４２ｂ）と、前記軸方向の前記他方側の空気通路（１４２ｃ）とに、前記空気通路を仕切る仕切板（１５）を有し、
前記分離筒は、前記軸方向の前記他方側の開口部の周りに位置し、前記分離筒の前記径方向の外側の端を含む分離筒縁部（３００）を有し、
前記分離板は、前記分離板の前記径方向の内側の端を含む内側縁部（１００）と、前記分離板の前記径方向の外側の端を含む外側縁部（２００）とを有し、
前記仕切板は、前記仕切板の前記径方向の内側の端を含む仕切板縁部（４００）を有し、
前記分離筒縁部の前記軸方向での高さ（Ｈ３）は、前記内側縁部の前記軸方向での高さ（Ｈ１）よりも高く、
前記仕切板縁部の前記軸方向での高さ（Ｈ４）は、前記外側縁部の前記軸方向での高さ（Ｈ２）よりも高い、遠心式送風機。
【手続補正２】
【補正対象書類名】明細書
【補正対象項目名】００１１
【補正方法】変更
【補正の内容】
【００１１】
上記目的を達成するため、請求項１、４に記載の発明によれば、
遠心式送風機は、
ファン軸心（ＣＬ）の周りに配置された複数のブレード（１２１）を有し、ファン軸心の軸方向の一方側から吸入した空気を径方向の外側に向けて吹き出す遠心ファン（１２）と、
複数のブレードに対して遠心ファンの径方向の内側に配置され、軸方向の両側に開口部を有するとともに、軸方向の一方側から他方側の端に向かうにつれて径方向に拡大する筒状であり、遠心ファンに向かう空気流れを２つの空気流れに分離する分離筒（１８）とを備え、
遠心ファンは、複数のブレードのそれぞれと交差して設けられており、径方向の内側から外側へ延伸する板状であり、分離筒で分離された２つの空気流れを、軸方向の一方側を流れる空気と、軸方向の他方側を流れる空気とに分離した状態で、遠心ファンから吹き出させる分離板（１３）を有し、
分離板は、径方向の内側の端の位置で、軸方向の一方側から他方側へ延伸する内側端面（１３１）を有し、
分離筒は、軸方向の他方側の端の位置で、軸方向の一方側から他方側へ延伸する分離筒端面（１８１）を有する。
そして、請求項１に記載の発明によれば、分離筒端面の軸方向での高さ（Ｈ３）は、内側端面の軸方向での高さ（Ｈ１）よりも高い。
また、請求項４に記載の発明によれば、内側端面の軸方向での高さ（Ｈ１）は、分離筒端面の軸方向での高さ（Ｈ３）よりも高く、
分離板は、
径方向の内側から外側へ延伸する分離板本体部（１３３）と、
分離板本体部のうち径方向の内側の部分であって、分離板の径方向の内側の端を含む内側部分（１３３ａ）から軸方向の一方側と他方側の少なくとも一方へ突出する内側突出部（１３４、１３５）とを有し、
内側端面は、分離板本体部の径方向の内側の端面（１３１ｃ）と、内側突出部の径方向の内側の端面（１３１ｄ、１３１ｅ）とによって構成される。
【手続補正３】
【補正対象書類名】明細書
【補正対象項目名】００１２
【補正方法】変更
【補正の内容】
【００１２】
請求項１に記載の発明によれば、内側端面の高さが請求項１に記載の発明と同じであって、分離筒端面の高さが内側端面の高さと同じ場合と比較して、分離筒端面の高さが増大している。請求項４に記載の発明によれば、分離筒端面の高さが請求項４に記載の発明と同じであって、内側端面の高さが分離筒端面の高さと同じ場合と比較して、内側端面の高さが増大している。
これらによれば、分離板に対する分離筒の軸方向での位置の範囲であって、分離筒端面と内側端面とが遠心ファンの径方向で対向するときの対向範囲が拡大する。分離板に対する分離筒の軸方向での位置が、この対向範囲以内で変動したとき、分離筒端面と内側端面との間の隙間の大きさは所定値以下となる。このため、２つの空気流れの分離性は維持される。よって、分離筒と分離板との相対的な位置関係において、２つの空気流れの分離性を維持できる軸方向での範囲を広げることができる。
【手続補正４】
【補正対象書類名】明細書
【補正対象項目名】００１３
【補正方法】変更
【補正の内容】
【００１３】
また、上記目的を達成するため、請求項６、８に記載の発明によれば、
遠心式送風機は、
ファン軸心（ＣＬ）の周りに配置された複数のブレード（１２１）を有し、ファン軸心の軸方向の一方側から吸入した空気を径方向の外側に向けて吹き出す遠心ファン（１２）と、
軸方向の一方側に空気を吸入する吸入口（１４ａ）を有し、遠心ファンを収容するとともに、遠心ファンから吹き出された空気が流れる空気通路（１４２ａ）を形成するファンケーシング（１４）とを備え、
遠心ファンは、複数のブレードのそれぞれと交差して設けられており、径方向の内側から外側へ延伸する板状であり、複数のブレードにおける隣り合うブレードの間を流れる空気を、軸方向の一方側を流れる空気と、軸方向の他方側を流れる空気とに分離する分離板（１３）を有し、
ファンケーシングは、空気通路に設けられており、径方向の外側から内側へ延伸する板状であり、分離板で分離された２つの空気流れの混合を抑制するために、軸方向の一方側の空気通路（１４２ｂ）と、軸方向の他方側の空気通路（１４２ｃ）とに、空気通路を仕切る仕切板（１５）を有し、
分離板は、径方向の外側の端の位置で、軸方向の一方側から他方側へ延伸する外側端面（１３２）を有し、
仕切板は、径方向の内側の端の位置で、軸方向の一方側から他方側へ延伸する仕切板端面（１５１）を有する。
そして、請求項６に記載の発明によれば、外側端面の軸方向での高さ（Ｈ２）は、仕切板端面の軸方向での高さ（Ｈ４）よりも高く、
分離板は、
径方向の内側から外側へ延伸する分離板本体部（１３３）と、
分離板本体部のうち径方向の外側の部分であって、分離板の径方向の外側の端を含む外側部分（１３３ｂ）から軸方向の一方側と他方側の少なくとも一方へ突出する外側突出部（１３６、１３７）とを有し、
外側端面は、分離板本体部の径方向の外側の端面（１３２ｃ）と、外側突出部の径方向の外側の端面（１３２ｄ、１３２ｅ）とによって構成される。
また、請求項８に記載の発明によれば、仕切板端面の軸方向での高さ（Ｈ４）は、外側端面の軸方向での高さ（Ｈ２）よりも高い。
【手続補正５】
【補正対象書類名】明細書
【補正対象項目名】００１４
【補正方法】変更
【補正の内容】
【００１４】
請求項６に記載の発明によれば、仕切板端面の高さが請求項６に記載の発明と同じであって、外側端面の高さが仕切板端面の高さと同じ場合と比較して、外側端面の高さが増大している。請求項８に記載の発明によれば、外側端面の高さが請求項８に記載の発明と同じであって、仕切板端面の高さが外側端面の高さと同じ場合と比較して、仕切板端面の高さが増大している。
これらによれば、分離板に対する仕切板の軸方向での位置の範囲であって、仕切板端面と外側端面とが遠心ファンの径方向で対向するときの対向範囲が拡大する。分離板に対する仕切板の軸方向での位置が、この対向範囲以内で変動したとき、仕切板端面と外側端面との間の隙間の大きさは所定値以下となる。このため、２つの空気流れの分離性は維持される。よって、仕切板と分離板との相対的な位置関係において、２つの空気流れの分離性を維持できる軸方向での範囲を広げることができる。
【手続補正６】
【補正対象書類名】明細書
【補正対象項目名】００１５
【補正方法】変更
【補正の内容】
【００１５】
また、上記目的を達成するため、請求項１１、１３に記載の発明によれば、
遠心式送風機は、
ファン軸心（ＣＬ）の周りに配置された複数のブレード（１２１）を有し、ファン軸心の軸方向の一方側から吸入した空気を径方向の外側に向けて吹き出す遠心ファン（１２）と、
複数のブレードに対して遠心ファンの径方向の内側に配置され、軸方向の両側に開口部を有するとともに、軸方向の一方側から他方側の端に向かうにつれて径方向に拡大する筒状であり、遠心ファンに向かう空気流れを２つの空気流れに分離する分離筒（１８）と、
軸方向の一方側に空気を吸入する吸入口（１４ａ）を有し、遠心ファンを収容するとともに、遠心ファンから吹き出された空気が流れる空気通路（１４２ａ）を形成するファンケーシング（１４）とを備え、
遠心ファンは、複数のブレードのそれぞれと交差して設けられており、径方向の内側から外側へ延伸する板状であり、分離筒で分離された２つの空気流れを、軸方向の一方側を流れる空気と、軸方向の他方側を流れる空気とに分離した状態で、遠心ファンから吹き出させる分離板（１３）を有し、
ファンケーシングは、空気通路に設けられており、径方向の外側から内側へ延伸する板状であり、分離筒および分離板で分離された２つの空気流れの混合を抑制するために、軸方向の一方側の空気通路（１４２ｂ）と、軸方向の他方側の空気通路（１４２ｃ）とに、空気通路を仕切る仕切板（１５）を有し、
分離板は、径方向の内側の端の位置で、軸方向の一方側から他方側へ延伸する内側端面（１３１）と、径方向の外側の端の位置で、軸方向の一方側から他方側へ延伸する外側端面（１３２）とを有し、
分離筒は、軸方向の他方側の端の位置で、軸方向の一方側から他方側へ延伸する分離筒端面（１８１）を有し、
仕切板は、径方向の内側の端の位置で、軸方向の一方側から他方側へ延伸する仕切板端面（１５１）を有する。
そして、請求項１１に記載の発明によれば、内側端面の軸方向での高さ（Ｈ１）は、分離筒端面の軸方向での高さ（Ｈ３）よりも高く、
外側端面の軸方向での高さ（Ｈ２）は、仕切板端面の軸方向での高さ（Ｈ４）よりも高く、
分離板は、
径方向の内側から外側へ延伸する分離板本体部（１３３）と、
分離板本体部のうち径方向の内側の部分であって、分離板の径方向の内側の端を含む内側部分（１３３ａ）から軸方向の一方側と他方側の少なくとも一方へ突出する内側突出部（１３４、１３５）と、
分離板本体部のうち径方向の外側の部分であって、分離板の径方向の外側の端を含む外側部分（１３３ｂ）から軸方向の一方側と他方側の少なくとも一方へ突出する外側突出部（１３６、１３７）とを有し、
内側端面は、分離板本体部の径方向の内側の端面（１３１ｃ）と、内側突出部の径方向の内側の端面（１３１ｄ、１３１ｅ）とによって構成され、
外側端面は、分離板本体部の径方向の外側の端面（１３２ｃ）と、外側突出部の径方向の外側の端面（１３２ｄ、１３２ｅ）とによって構成される。
また、請求項１３に記載の発明によれば、分離筒端面の軸方向での高さ（Ｈ３）は、内側端面の軸方向での高さ（Ｈ１）よりも高く、
仕切板端面の軸方向での高さ（Ｈ４）は、外側端面の軸方向での高さ（Ｈ２）よりも高い。
【手続補正７】
【補正対象書類名】明細書
【補正対象項目名】００１６
【補正方法】変更
【補正の内容】
【００１６】
請求項１１に記載の発明によれば、分離筒端面と内側端面とにおいて、分離筒端面の高さが請求項１１に記載の発明と同じであって、内側端面の高さが分離筒端面の高さと同じ場合と比較して、内側端面の高さが増大している。請求項１３に記載の発明によれば、分離筒端面と内側端面とにおいて、内側端面の高さが請求項１３に記載の発明と同じであって、分離筒端面の高さが内側端面の高さと同じ場合と比較して、分離筒端面の高さが増大している。
これらによれば、分離板に対する分離筒の軸方向での位置の範囲であって、分離筒端面と内側端面とが遠心ファンの径方向で対向するときの対向範囲が拡大する。分離板に対する分離筒の軸方向での位置が、この対向範囲以内で変動したとき、分離筒端面と内側端面との間の隙間の大きさは所定値以下となる。このため、２つの空気流れの分離性は維持される。よって、分離筒と分離板との相対的な位置関係において、２つの空気流れの分離性を維持できる軸方向での範囲を広げることができる。
【手続補正８】
【補正対象書類名】明細書
【補正対象項目名】００１７
【補正方法】変更
【補正の内容】
【００１７】
さらに、請求項１１に記載の発明によれば、仕切板端面と外側端面とにおいて、仕切板端面の高さが請求項１１に記載の発明と同じであって、外側端面の高さが仕切板端面の高さと同じ場合と比較して、外側端面の高さが増大している。請求項１３に記載の発明によれば、仕切板端面と外側端面とにおいて、外側端面の高さが請求項１３に記載の発明と同じであって、仕切板端面の高さが外側端面の高さと同じ場合と比較して、仕切板端面の高さが増大している。
これらによれば、分離板に対する仕切板の軸方向での位置の範囲であって、仕切板端面と外側端面とが遠心ファンの径方向で対向するときの対向範囲が拡大する。分離板に対する仕切板の軸方向での位置が、この対向範囲以内で変動したとき、仕切板端面と外側端面との間の隙間の大きさは所定値以下となる。このため、２つの空気流れの分離性は維持される。よって、仕切板と分離板との相対的な位置関係において、２つの空気流れの分離性を維持できる軸方向での範囲を広げることができる。
【手続補正９】
【補正対象書類名】明細書
【補正対象項目名】００１８
【補正方法】変更
【補正の内容】
【００１８】
また、上記目的を達成するため、請求項１４に記載の発明によれば、
遠心式送風機は、
ファン軸心（ＣＬ）の周りに配置された複数のブレード（１２１）を有し、ファン軸心の軸方向の一方側から吸入した空気を径方向の外側に向けて吹き出す遠心ファン（１２）と、
複数のブレードに対して遠心ファンの径方向の内側に配置され、軸方向の両側に開口部を有するとともに、軸方向の一方側から他方側の端に向かうにつれて径方向に拡大する筒状であり、遠心ファンに向かう空気流れを２つの空気流れに分離する分離筒（１８）とを備え、
遠心ファンは、複数のブレードのそれぞれと交差して設けられており、径方向の内側から外側へ延伸する板状であり、分離筒で分離された２つの空気流れを、軸方向の一方側を流れる空気と、軸方向の他方側を流れる空気とに分離した状態で、遠心ファンから吹き出させる分離板（１３）を有し、
分離板は、径方向の内側の端の位置で、軸方向の一方側から他方側へ延伸する内側端面（１３１）と、径方向の中央に位置する分離板中央部（１３３ｃ）とを有し、
分離筒は、軸方向の他方側の端の位置で、軸方向の一方側から他方側へ延伸する分離筒端面（１８１）と、軸方向での中央に位置する分離筒中央部（１８２ｂ）とを有し、
内側端面の軸方向での高さ（Ｈ１）は、分離板中央部の表面の法線方向での分離板中央部の厚み（Ｔ５１）よりも大きく、
分離筒端面の軸方向での高さ（Ｈ３）は、分離筒中央部の表面の法線方向での分離筒中央部の厚み（Ｔ５２）よりも大きい。
【手続補正１０】
【補正対象書類名】明細書
【補正対象項目名】００１９
【補正方法】変更
【補正の内容】
【００１９】
これによれば、分離板中央部の厚みが請求項１４に記載の発明と同じであって、内側端面の高さが分離板中央部の厚みと同じ場合と比較して、内側端面の高さが増大している。さらに、分離筒中央部の厚みが請求項１４に記載の発明と同じであって、分離筒端面の高さが分離筒中央部の厚みと同じ場合と比較して、分離筒端面の高さが増大している。
【手続補正１１】
【補正対象書類名】明細書
【補正対象項目名】００２１
【補正方法】変更
【補正の内容】
【００２１】
また、上記目的を達成するため、請求項１５に記載の発明によれば、
遠心式送風機は、
ファン軸心（ＣＬ）の周りに配置された複数のブレード（１２１）を有し、ファン軸心の軸方向の一方側から吸入した空気を径方向の外側に向けて吹き出す遠心ファン（１２）と、
軸方向の一方側に空気を吸入する吸入口（１４ａ）を有し、遠心ファンを収容するとともに、遠心ファンから吹き出された空気が流れる空気通路（１４２ａ）を形成するファンケーシング（１４）とを備え、
遠心ファンは、複数のブレードのそれぞれと交差して設けられており、径方向の内側から外側へ延伸する板状であり、複数のブレードにおける隣り合うブレードの間を流れる空気を、軸方向の一方側を流れる空気と、軸方向の他方側を流れる空気とに分離する分離板（１３）を有し、
分離板は、径方向の外側の端の位置で、軸方向の一方側から他方側へ延伸する外側端面（１３２）と、径方向の中央に位置する分離板中央部（１３３ｃ）とを有し、
ファンケーシングは、空気通路に設けられており、径方向の外側から内側へ延伸する板状であり、分離板で分離された２つの空気流れの混合を抑制するために、軸方向の一方側の空気通路（１４２ｂ）と、軸方向の他方側の空気通路（１４２ｃ）とに、空気通路を仕切る仕切板（１５）を有し、
仕切板は、径方向の内側の端の位置で、軸方向の一方側から他方側へ延伸する仕切板端面（１５１）と、径方向での中央に位置する仕切板中央部（１５２ｂ）とを有し、
外側端面の軸方向での高さ（Ｈ２）は、分離板中央部の表面の法線方向での分離板中央部の厚み（Ｔ５１）よりも大きく、
仕切板端面の軸方向での高さ（Ｈ４）は、仕切板中央部の表面の法線方向での仕切板中央部の厚み（Ｔ５３）よりも大きい。
【手続補正１２】
【補正対象書類名】明細書
【補正対象項目名】００２２
【補正方法】変更
【補正の内容】
【００２２】
これによれば、分離板中央部の厚みが請求項１５に記載の発明と同じであって、外側端面の高さが分離板中央部の厚みと同じ場合と比較して、外側端面の高さが増大している。さらに、仕切板中央部の厚みが請求項１５に記載の発明と同じであって、仕切板端面の高さが仕切板中央部の厚みと同じ場合と比較して、仕切板端面の高さが増大している。
【手続補正１３】
【補正対象書類名】明細書
【補正対象項目名】００２４
【補正方法】変更
【補正の内容】
【００２４】
また、請求項１６に記載の発明によれば、
遠心式送風機は、
ファン軸心（ＣＬ）の周りに配置された複数のブレード（１２１）を有し、ファン軸心の軸方向の一方側から吸入した空気を径方向の外側に向けて吹き出す遠心ファン（１２）と、
複数のブレードに対して遠心ファンの径方向の内側に配置され、軸方向の両側に開口部を有するとともに、軸方向の一方側から軸方向の他方側の端に向かうにつれて径方向に拡大する筒状であり、遠心ファンに向かう空気流れを２つの空気流れに分離する分離筒（１８）とを備え、
遠心ファンは、複数のブレードのそれぞれと交差して設けられており、径方向の内側から外側へ延伸する板状であり、分離筒で分離された２つの空気流れを、軸方向の一方側を流れる空気と、軸方向の他方側を流れる空気とに分離した状態で、遠心ファンから吹き出させる分離板（１３）を有し、
分離筒は、軸方向の他方側の開口部の周りに位置し、分離筒の径方向の外側の端を含む分離筒縁部（３００）を有し、
分離板は、分離板の径方向の内側の端を含む内側縁部（１００）を有し、
分離筒縁部の軸方向での高さ（Ｈ３）は、内側縁部の軸方向での高さ（Ｈ１）よりも高い。
【手続補正１４】
【補正対象書類名】明細書
【補正対象項目名】００２５
【補正方法】変更
【補正の内容】
【００２５】
これによれば、内側縁部の高さが請求項１６に記載の発明と同じであって、分離筒縁部の高さが内側縁部の高さと同じ場合と比較して、分離筒縁部の高さが増大している。これにより、分離板に対する分離筒の軸方向での位置の範囲であって、分離筒縁部と内側縁部とが遠心ファンの径方向で対向するときの対向範囲が拡大する。分離板に対する分離筒の軸方向での位置が、この対向範囲以内で変動したとき、分離筒縁部と内側縁部との間の隙間の大きさは所定値以下となる。このため、２つの空気流れの分離性は維持される。よって、分離筒と分離板との相対的な位置関係において、２つの空気流れの分離性を維持できる軸方向での範囲を広げることができる。
【手続補正１５】
【補正対象書類名】明細書
【補正対象項目名】００２６
【補正方法】変更
【補正の内容】
【００２６】
また、請求項１７に記載の発明によれば、
遠心式送風機は、
ファン軸心（ＣＬ）の周りに配置された複数のブレード（１２１）を有し、ファン軸心の軸方向の一方側から吸入した空気を径方向の外側に向けて吹き出す遠心ファン（１２）と、
軸方向の一方側に空気を吸入する吸入口（１４ａ）を有し、遠心ファンを収容するとともに、遠心ファンから吹き出された空気が流れる空気通路（１４２ａ）を形成するファンケーシング（１４）とを備え、
遠心ファンは、複数のブレードのそれぞれと交差して設けられており、径方向の内側から外側へ延伸する板状であり、複数のブレードにおける隣り合うブレードの間を流れる空気を、軸方向の一方側を流れる空気と、軸方向の他方側を流れる空気とに分離する分離板（１３）を有し、
ファンケーシングは、空気通路に設けられており、径方向の外側から内側へ延伸する板状であり、分離板で分離された２つの空気流れの混合を抑制するために、軸方向の一方側の空気通路（１４２ｂ）と、軸方向の他方側の空気通路（１４２ｃ）とに、空気通路を仕切る仕切板（１５）を有し、
分離板は、分離板の径方向の外側の端を含む外側縁部（２００）を有し、
仕切板は、仕切板の径方向の内側の端を含む仕切板縁部（４００）を有し、
仕切板縁部の軸方向での高さ（Ｈ４）は、外側縁部の軸方向での高さ（Ｈ２）よりも高い。
【手続補正１６】
【補正対象書類名】明細書
【補正対象項目名】００２７
【補正方法】変更
【補正の内容】
【００２７】
これによれば、外側縁部の高さが請求項１７に記載の発明と同じであって、仕切板縁部の高さが外側縁部の高さと同じ場合と比較して、仕切板縁部の高さが増大している。これにより、分離板に対する仕切板の軸方向での位置の範囲であって、仕切板縁部と外側縁部とが遠心ファンの径方向で対向するときの対向範囲が拡大する。分離板に対する仕切板の軸方向での位置が、この対向範囲以内で変動したとき、仕切板縁部と外側縁部との間の隙間の大きさは所定値以下となる。このため、２つの空気流れの分離性は維持される。よって、仕切板と分離板との相対的な位置関係において、２つの空気流れの分離性を維持できる軸方向での範囲を広げることができる。
【手続補正１７】
【補正対象書類名】明細書
【補正対象項目名】００２８
【補正方法】変更
【補正の内容】
【００２８】
請求項１８に記載の発明によれば、
遠心式送風機は、
ファン軸心（ＣＬ）の周りに配置された複数のブレード（１２１）を有し、ファン軸心の軸方向の一方側から吸入した空気を径方向の外側に向けて吹き出す遠心ファン（１２）と、
複数のブレードに対して遠心ファンの径方向の内側に配置され、軸方向の両側に開口部を有するとともに、軸方向の一方側から軸方向の他方側の端に向かうにつれて径方向に拡大する筒状であり、遠心ファンに向かう空気流れを２つの空気流れに分離する分離筒（１８）と、
軸方向の一方側に空気を吸入する吸入口（１４ａ）を有し、遠心ファンを収容するとともに、遠心ファンから吹き出された空気が流れる空気通路（１４２ａ）を形成するファンケーシング（１４）とを備え、
遠心ファンは、複数のブレードのそれぞれと交差して設けられており、径方向の内側から外側へ延伸する板状であり、分離筒で分離された２つの空気流れを、軸方向の一方側を流れる空気と、軸方向の他方側を流れる空気とに分離した状態で、遠心ファンから吹き出させる分離板（１３）を有し、
ファンケーシングは、空気通路に設けられており、径方向の外側から内側へ延伸する板状であり、分離筒および分離板で分離された２つの空気流れの混合を抑制するために、軸方向の一方側の空気通路（１４２ｂ）と、軸方向の他方側の空気通路（１４２ｃ）とに、空気通路を仕切る仕切板（１５）を有し、
分離筒は、軸方向の他方側の開口部の周りに位置し、分離筒の径方向の外側の端を含む分離筒縁部（３００）を有し、
分離板は、分離板の径方向の内側の端を含む内側縁部（１００）と、分離板の径方向の外側の端を含む外側縁部（２００）とを有し、
仕切板は、仕切板の径方向の内側の端を含む仕切板縁部（４００）を有し、
分離筒縁部の軸方向での高さ（Ｈ３）は、内側縁部の軸方向での高さ（Ｈ１）よりも高く、
仕切板縁部の軸方向での高さ（Ｈ４）は、外側縁部の軸方向での高さ（Ｈ２）よりも高い。
【手続補正１８】
【補正対象書類名】明細書
【補正対象項目名】００２９
【補正方法】変更
【補正の内容】
【００２９】
これによれば、内側縁部の高さが請求項１８に記載の発明と同じであって、分離筒縁部の高さが内側縁部の高さと同じ場合と比較して、分離筒縁部の高さが増大している。これにより、分離板に対する分離筒の軸方向での位置の範囲であって、分離筒縁部と内側縁部とが遠心ファンの径方向で対向するときの対向範囲が拡大する。分離板に対する分離筒の軸方向での位置が、この対向範囲以内で変動したとき、分離筒縁部と内側縁部との間の隙間の大きさは所定値以下となる。このため、２つの空気流れの分離性は維持される。よって、分離筒と分離板との相対的な位置関係において、２つの空気流れの分離性を維持できる軸方向での範囲を広げることができる。
【手続補正１９】
【補正対象書類名】明細書
【補正対象項目名】００３０
【補正方法】変更
【補正の内容】
【００３０】
さらに、これによれば、外側縁部の高さが請求項１８に記載の発明と同じであって、仕切板縁部の高さが外側縁部の高さと同じ場合と比較して、仕切板縁部の高さが増大している。これにより、分離板に対する仕切板の軸方向での位置の範囲であって、仕切板縁部と外側縁部とが遠心ファンの径方向で対向するときの対向範囲が拡大する。分離板に対する仕切板の軸方向での位置が、この対向範囲以内で変動したとき、仕切板縁部と外側縁部との間の隙間の大きさは所定値以下となる。このため、２つの空気流れの分離性は維持される。よって、仕切板と分離板との相対的な位置関係において、２つの空気流れの分離性を維持できる軸方向での範囲を広げることができる。
【手続補正２０】
【補正対象書類名】明細書
【補正対象項目名】０１３２
【補正方法】変更
【補正の内容】
【０１３２】
このため、分離筒端面１８１の高さＨ３は、内側端面１３１の高さＨ１よりも高い。仕切板端面１５１の高さＨ４は、外側端面１３２の高さＨ２よりも高い。換言すると、分離筒縁部３００の高さＨ３は、内側縁部１００の高さＨ１よりも高い。仕切板縁部４００の高さＨ４は、外側縁部２００の高さＨ２よりも高い。